(57)【要約】【課題】被処理水の固液分離性能の低下を抑制することができる制御装置及び固液分離システムを提供することである。【解決手段】実施形態の制御装置は、高分子凝集剤と希釈水とを混合して高分子溶液を調製する溶解槽と、前記溶解槽において調製された高分子溶液を被処理水に注入して被処理水中の固形物を凝集させる凝集槽と、前記固形物が凝集した被処理水を固形物と水分とに分離する固液分離装置と、を備える固液分離システムの制御装置であって制御部を持つ。制御部は、前記希釈水の水質に基づいて前記高分子溶液の調製処理を制御する、又は前記高分子溶液の水質に基づいて前記被処理水に対する高分子溶液の注入処理を制御する。【選択図】図２
2020025932.tif 000002
【特許請求の範囲】
【請求項１】
高分子凝集剤と希釈水とを混合して高分子溶液を調製する溶解槽と、前記溶解槽において調製された高分子溶液を被処理水に注入して被処理水中の固形物を凝集させる凝集槽と、前記固形物が凝集した被処理水を固形物と水分とに分離する固液分離装置と、を備える固液分離システムの制御装置であって、
前記希釈水の水質に基づいて前記高分子溶液の調製処理を制御する、又は前記高分子溶液の水質に基づいて前記被処理水に対する高分子溶液の注入処理を制御する制御部を備える、
制御装置。
【請求項２】
前記固液分離システムは、前記希釈水から所定の成分を除去し、前記成分の除去によって改質した希釈水を前記溶解槽に供給する改質装置をさらに備え、
前記制御部は、前記改質装置によって改質された希釈水の水質に基づいて前記改質装置の動作を制御する、
請求項１に記載の制御装置。
【請求項３】
前記改質装置は、活性炭処理によって前記希釈水中の残留塩素成分を除去し、
前記制御部は、前記改質装置によって改質された希釈水の残留塩素濃度に基づいて前記改質装置の動作を制御する、
請求項２に記載の制御装置。
【請求項４】
前記制御部は、前記残留塩素濃度が所定の閾値以上である場合、前記改質装置が希釈水を改質する動作、又は改質後の希釈水を前記溶解槽に供給する動作を抑止する、
請求項３に記載の制御装置。
【請求項５】
前記改質装置は、逆浸透膜処理によって前記希釈水中の２価イオン成分を除去し、
前記制御部は、前記改質装置によって改質された希釈水の２価イオン濃度又は導電率に基づいて前記改質装置の動作を制御する、
請求項２から４のいずれか一項に記載の制御装置。
【請求項６】
前記２価イオン成分は、硫酸イオン、カルシウムイオン又はマグネシウムイオンである、
請求項５に記載の制御装置。
【請求項７】
前記制御部は、前記２価イオン濃度又は導電率が所定の閾値以上である場合、前記改質装置が希釈水を改質する動作、又は改質後の希釈水を前記溶解槽に供給する動作を抑止する、
請求項５又は６に記載の制御装置。
【請求項８】
前記固液分離システムは、前記高分子溶液を被処理水に注入する注入装置をさらに備え、
前記制御部は、前記高分子溶液の紫外可視光吸光度、コロイド電荷量又は流動電流値の測定値の分散値が所定の閾値以下である場合に、前記注入装置が高分子溶液を被処理水に注入する動作を抑止する、
請求項１に記載の制御装置。
【請求項９】
前記制御部は、高分子溶液の紫外可視光吸光度、コロイド電荷量又は流動電流値と、前記高分子溶液の高分子凝集剤濃度との関係性に基づき、前記凝集槽内の高分子溶液の紫外可視光吸光度、コロイド電荷量又は流動電流値の測定値から前記凝集槽内の高分子溶液の高分子凝集剤濃度を推定し、推定した前記高分子凝集剤濃度に基づいて、被処理水に対する前記高分子溶液の注入量を決定する、
請求項１に記載の制御装置。
【請求項１０】
高分子凝集剤と希釈水とを混合して高分子溶液を調製する溶解槽と、
前記溶解槽において調製された高分子溶液を被処理水に注入して被処理水中の固形物を凝集させる凝集槽と、
前記固形物が凝集した被処理水を固形物と水分とに分離する固液分離装置と、
前記希釈水の水質に基づいて前記高分子溶液の調製処理を制御する、又は前記高分子溶液の水質に基づいて前記被処理水に対する高分子溶液の注入処理を制御する制御装置と、
を備える固液分離システム。
【発明の詳細な説明】
【技術分野】
【０００１】
本発明の実施形態は、制御装置及び固液分離システムに関する。
【背景技術】
【０００２】
排水や汚泥等の被処理水を浄化する方法の一つに固液分離処理がある。排水処理では、前処理として固液分離処理を行い、分離された固形物と排水とをそれぞれに適した方法で処理することで処理コストを削減することができる。また、汚泥処理では、汚泥の脱水処理として固液分離処理を行い、汚泥の減容を図ることで輸送や処分に要するコストを削減することができる。このような固液分離処理では、固液分離性能を高めるために被処理水に高分子凝集剤が注入される場合がある。高分子凝集剤は、被処理水中の固形物を凝集させる作用を有し、固形物の沈降性を高める効果を奏するため、固液分離性能の向上に寄与する。
【０００３】
一方で、高分子凝集剤の注入量が不足すれば固液分離性能が低下し、注入量が多すぎると被処理水中に多くの高分子凝集剤が残留することになり処理水の悪化を招くため、高分子凝集剤の注入量は、被処理水中の固形物量の変動に応じて適切に調整される必要がある。また、固液分離処理では、顆粒状で流通することが多い高分子凝集剤を水に溶解させて被処理水に注入するのが一般的であるが、高分子凝集剤の水溶液（以下「高分子溶液」という。）の性状によっては固液分離の性能が低下する場合がある。このような背景により、従来は、被処理水に注入する高分子凝集剤の性状や注入量に起因して固液分離性能が低下してしまう場合があった。
【先行技術文献】
【特許文献】
【０００４】
【特許文献１】特開２０１５−５７２８８号公報
【特許文献２】特開２０１１−１６７６５１号公報
【特許文献３】特開２００４−２０２４００号公報
【非特許文献】
【０００５】
【非特許文献１】Gehr, Ronald & Kalluri, Ramesh. (1983). EFFECTS OF SHORT-TERM STORAGE AND ELEVATED TEMPERATURES ON THE FLOCCULATION ACTIVITY OF AQUEOUS POLYMER SOLUTIONS.. Water pollution research journal of Canada. 18. 23-43.
【発明の概要】
【発明が解決しようとする課題】
【０００６】
本発明が解決しようとする課題は、被処理水の固液分離性能の低下を抑制することができる制御装置及び固液分離システムを提供することである。
【課題を解決するための手段】
【０００７】
実施形態の制御装置は、高分子凝集剤と希釈水とを混合して高分子溶液を調製する溶解槽と、前記溶解槽において調製された高分子溶液を被処理水に注入して被処理水中の固形物を凝集させる凝集槽と、前記固形物が凝集した被処理水を固形物と水分とに分離する固液分離装置と、を備える固液分離システムの制御装置であって制御部を持つ。制御部は、前記希釈水の水質に基づいて前記高分子溶液の調製処理を制御する、又は前記高分子溶液の水質に基づいて前記被処理水に対する高分子溶液の注入処理を制御する。
【図面の簡単な説明】
【０００８】
【図１】従来の固液分離システムの構成例を示す図。
【図２】第１の実施形態の固液分離システムの構成例を示す図。
【図３】第１の実施形態における制御装置の機能構成の具体例を示す図。
【図４】第２の実施形態の固液分離システムの構成例を示す図。
【図５】第２の実施形態における制御装置の機能構成の具体例を示す図。
【図６】第３の実施形態の固液分離システムの構成例を示す図。
【図７】第３の実施形態における制御装置の機能構成の具体例を示す図。
【発明を実施するための形態】
【０００９】
以下、実施形態の制御装置及び固液分離システムを、図面を参照して説明する。
【００１０】
（概略）
図１は、従来の固液分離システムの構成例を示す図である。固液分離システム９０は、溶解槽９１、第１攪拌機９２、高分子溶液注入ポンプ９３（注入装置の一例）、凝集槽９４、第２攪拌機９５及び固液分離装置９６を備える。溶解槽９１は、顆粒状の高分子凝集剤を溶媒である水（以下「希釈水」という。）に溶解させ、高分子凝集剤の水溶液（以下「高分子溶液」という。）を調製するための水槽である。第１攪拌機９２は、溶解槽９１に投入された高分子凝集剤及び希釈水を攪拌する装置である。高分子溶液注入ポンプ９３は、溶解槽９１において調製された高分子溶液を凝集槽９４に注入する装置である。凝集槽９４は、高分子溶液と被処理水とを混和させて被処理水中の固形物を凝集させるための水槽である。第２攪拌機９５は、高分子溶液と被処理水とを混和させるために攪拌する装置である。固液分離装置９６は、固形物が凝集した被処理水を固形物と水分とに分離する装置である。
【００１１】
ここで、高分子溶液注入ポンプ９３は、実験室Ｌで行われた固液分離の模擬試験の結果に基づいて決定された注入率（以下「設定注入率」という。）で動作するように構成される。基本的に、設定注入率は、良好な固液分離性能が得られた試験結果に基づいて決定された注入率であるが、被処理水の水質は時々刻々と変動するものであるため、設定注入率が設定時において必ずしも最適であるとは限らない。設定注入率が、最適な注入率より小さい場合、固液分離性能が低下してしまい、被処理水を望ましい性状の水分と固形分とに分離することができなくなる。また、注入率が最適な注入率より大きい場合も、やはり固液分離性能は低下する。また、高分子凝集剤の注入量が増大するため薬品コストも増大する。さらに、水分中に多くの高分子凝集剤が残留することになり、処理水の水質悪化も懸念される。
【００１２】
また、高分子凝集剤と希釈水とを攪拌して高分子溶液を調製する場合、継粉（ままこ）の発生等により高分子凝集剤を均一に溶解させるのに時間がかかる場合がある。このために、攪拌時間を長くとろうとすると、その分だけ溶解槽９１の容量も大きくしなければならず、装置が大型化してしまう。装置の大型化は、装置コストの高騰につながるとともに、設定場所の確保も困難にする。さらに、従来は、高分子凝集剤の溶解状態を検知する手段がなかったため、不均一な溶解状態の高分子溶液が注入されてしまい、望ましい固液分離性能が得られない場合があった。
【００１３】
また、固液分離性能において望ましい高分子溶液の性状は、貯留時間や貯留環境によって悪化することが知られている。しかしながら、従来は、その性状の悪化を防止又は検知する手段がなかったため、実際の注入率が最適な注入率よりも少なくなり、望ましい固液分離性能が得られない場合があった。
【００１４】
（第１の実施形態）
図２は、第１の実施形態の固液分離システムの構成例を示す図である。第１の実施形態の固液分離システム１００は、溶解槽１、高分子溶液注入ポンプ２、凝集槽３、固液分離装置４及び制御装置５を備える。溶解槽１は、顆粒状の高分子凝集剤を溶媒である水（以下「希釈水」という。）に溶解させ、高分子凝集剤の水溶液（以下「高分子溶液」という。）を調製するための水槽である。溶解槽１には、高分子溶液を攪拌する第１撹拌機１１が備えられる。
【００１５】
また、溶解槽１には、高分子溶液中の高分子凝集剤の濃度（以下「凝集剤濃度」という。）に相関する水質（以下「濃度指標」という。）を測定する水質計１２が備えられる。水質計１２は、高分子溶液のＵＶ−ＶＩＳ（Ultra Violet - Visible：紫外可視光）吸光度、コロイド電荷量、流動電流値の少なくとも１つを測定する。水質計１２は、制御装置５と通信可能に接続され、測定データを制御装置５に送信する。
【００１６】
高分子溶液注入ポンプ２は、溶解槽１において調製された高分子溶液を凝集槽３に注入する装置である。高分子溶液注入ポンプ２は制御装置５と通信可能に接続される。高分子溶液注入ポンプ２は、制御装置５から通知される注入率に基づいて高分子溶液の注入動作を行う。
【００１７】
凝集槽３は、高分子溶液注入ポンプ２によって注入された高分子溶液と被処理水とを混和させて被処理水中の固形物を凝集させるための水槽である。凝集槽３には、高分子溶液と被処理水との混和水を攪拌する第２攪拌機３１が備えられる。また、凝集槽３の前段には、槽内に流入する被処理水の流量を測定する流量計３２と、槽内に流入する被処理水の固形物濃度を測定する固形物濃度計３３と、が設けられる。流量計３２及び固形物濃度計３３は、制御装置５と通信可能に接続され、測定データを制御装置５に送信する。
【００１８】
固液分離装置４は、高分子溶液の注入により固形物が凝集した被処理水（混和水）を固形物と水分とに分離する装置である。
【００１９】
制御装置５は、溶解槽１で調製された高分子溶液の凝集剤濃度に応じて凝集槽３に注入される高分子溶液の注入量を調整する機能を有する。具体的には、制御装置５は、水質計１２によって測定される濃度指標値に基づいて高分子溶液注入ポンプ２の注入率を決定する。
【００２０】
図３は、第１の実施形態における制御装置の機能構成の具体例を示す図である。第１の実施形態における制御装置５は、バスで接続されたＣＰＵ（Central Processing Unit）やメモリや補助記憶装置などを備え、プログラムを実行する。制御装置５は、プログラムの実行によって通信部５１、記憶部５２、測定データ取得部５３及び注入率制御部５４を備える装置として機能する。なお、制御装置５の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されてもよい。
【００２１】
通信部５１は通信インタフェースである。通信部５１は、有線通信インタフェースであってもよいし、無線通信インタフェースであってもよい。通信部５１は、水質計１２、高分子溶液注入ポンプ２、流量計３２及び固形物濃度計３３と通信可能に接続される。
【００２２】
記憶部５２は、磁気ハードディスク装置や半導体記憶装置などの記憶装置を用いて構成される。記憶部５２は、水質計１２、流量計３２及び固形物濃度計３３の測定データを記憶する。また、記憶部５２には、高分子溶液の濃度指標値と凝集剤濃度との関係性を示す関係情報を予め記憶されている。
【００２３】
測定データ取得部５３は、通信部５１を介して水質計１２、流量計３２及び固形物濃度計３３から測定データを取得する。測定データ取得部５３は取得した測定データを記憶部５２に保存する。
【００２４】
注入率制御部５４は、高分子溶液注入ポンプ２の注入率を制御する機能を有する。具体的には、注入率制御部５４は、溶解槽１において調製された高分子溶液の凝集剤濃度に応じて高分子溶液注入ポンプ２の注入率を決定し、決定した注入率を通信部５１を介して高分子溶液注入ポンプ２に通知する。
【００２５】
より詳細には、以下の手順例で生成される関係情報を予め記憶部５２に記録しておく。
［手順１］高分子凝集剤と純水との混合比が異なる複数パターンの高分子溶液を調製する。
［手順２］手順１で調製した各パターンの高分子溶液の濃度指標値を測定する。
［手順３］手順２で測定された濃度指標値と、混合比から算出される凝集剤濃度とをパターンごとに対応づける。
【００２６】
注入率制御部５４は、このようにして生成された関係情報と、固液分離処理の実施中に取得される高分子溶液の濃度指標値の測定データとに基づいて、溶解槽１に貯留されている高分子溶液の凝集剤濃度を推定する。一方で、固形物の凝集に必要な高分子凝集剤の量は、被処理水中に含まれる固形物の量に応じて定まる。そのため、注入率制御部５４は、推定した凝集剤濃度と、測定データが示す被処理水の流量及び固形物濃度と、に基づいて高分子溶液注入ポンプ２の注入率を決定する。
【００２７】
ここで、高分子溶液の濃度指標値としては、高分子溶液のＵＶ−ＶＩＳ吸光度、コロイド電荷量又は流動電流値を用いることができる。注入率制御部５４は、これらの濃度指標値のうちのいずれか１つの測定値に基づいて注入率を決定してもよいし、複数の測定値に基づいて注入率を決定してもよい。例えば、複数の濃度指標値に基づいて注入率を決定する場合、注入率制御部５４は、複数の濃度指標値ごとに得られた注入率の平均的な値を実際の注入率として決定してもよいし、濃度指標ごとの関係情報に代えて、複数の濃度指標値と凝集剤濃度との対応関係を示す関係情報を用いて注入率を決定してもよい。
【００２８】
このように構成された第１の実施形態の固液分離システム１００によれば、被処理水に対する高分子凝集剤の注入量を、流入する被処理水の水質の変動、又は、高分子溶液の凝集剤濃度の変動に応じて調節することが可能になるため、被処理水の固液分離性能の低下を抑制することができる。
【００２９】
（第２の実施形態）
図４は、第２の実施形態の固液分離システムの構成例を示す図である。第２の実施形態の固液分離システム１００ａは、流量計３２及び固形物濃度計３３を備えない点、制御装置５に代えて制御装置５ａを備える点で第１の実施形態の固液分離システム１００と異なる。また、制御装置５ａは、高分子溶液注入ポンプ２の注入率を制御することに代えて高分子溶液注入ポンプ２の動作状態を切り替える制御を行う点で第１の実施形態における制御装置５と異なる。その他の構成は、第１の実施形態と同様であるため、図４では同様の構成について図２と同じ符号を付すことにより説明を省略する。
【００３０】
図５は、第２の実施形態における制御装置の機能構成の具体例を示す図である。第２の実施形態における制御装置５ａは、記憶部５２に代えて記憶部５２ａを備える点、測定データ取得部５３に代えて測定データ取得部５３ａを備える点、注入率制御部５４に代えて動作状態制御部５５を備える点で第１の実施形態における制御装置５と異なる。その他の構成は、第１の実施形態と同様であるため、図５では同様の構成について図３と同じ符号を付すことにより説明を省略する。
【００３１】
記憶部５２ａは、関係情報に代えて判定情報を予め記憶している点で第１の実施形態における記憶部５２と異なる。判定情報は、溶解槽１における高分子凝集剤の溶解状態を判定する際の条件を示す情報である。ここでは、その一例として、高分子凝集剤の溶解状態を示す指標値の閾値が判定情報として予め記憶部５２ａに記憶されるものとする。
【００３２】
測定データ取得部５３ａは、第１の実施形態における測定データ取得部５３が水質計１２、流量計３２及び固形物濃度計３３の測定データを取得するのに対して、水質計１２の測定データのみを取得する点で第１の実施形態における測定データ取得部５３と異なる。
【００３３】
動作状態制御部５５は、溶解槽１における高分子凝集剤の溶液状態に応じて、高分子溶液注入ポンプ２の動作状態を切り替える機能を有する。ここで、高分子溶液注入ポンプ２は、高分子溶液の注入動作を行うことが可能な状態（以下「注入可能状態」という。）と、高分子溶液の注入動作が抑止されている状態（以下「注入抑止状態」という。）と、の２つの動作状態を取りうるものとする。動作状態制御部５５は、水質計１２によって取得される時系列の測定データに基づいて高分子凝集剤の溶解状態の変化を観測し、高分子凝集剤がある程度均一に溶解したことが観測されたタイミングで、高分子溶液注入ポンプ２の動作状態を注入抑止状態から注入可能状態に遷移させる。
【００３４】
一般に、高分子溶液の凝集剤濃度の変化の大きさは、高分子凝集剤の溶解状態が均一に近づくほど小さくなっていくため、高分子溶液の濃度指標値の変化の大きさを観測することで高分子凝集剤の溶解状態の変化の大きさを観測することができる。具体的には、動作状態制御部５５は、水質計１２の測定データに基づいて過去の所定期間における濃度指標値の分散値を計算し、この分散値の変化を観測することで、高分子凝集剤の溶解状態を変化を観測する。この場合、分散値は、高分子凝集剤のより均一に溶解するほど、小さい値を示すため、動作状態制御部５５は、分散値が所定の閾値以下となったタイミングで高分子溶液注入ポンプ２の動作状態を注入抑止状態から注入可能状態に遷移させる。この場合、記憶部５２ａには、分散値の判定に用いる閾値が判定情報として予め記憶される。
【００３５】
なお、動作状態制御部５５は、高分子溶液のＵＶ−ＶＩＳ吸光度、コロイド電荷量及び流動電流値のうちのいずれか１つの測定値に基づいて溶解状態を判定してもよいし、複数の測定値に基づいて溶解状態を判定してもよい。例えば、複数の測定値に基づいて溶解状態を判定する場合、動作状態制御部５５は、各濃度指標値の分散値が全て閾値以下となった場合に高分子溶液注入ポンプ２の動作状態を変更してもよいし、一部の分散値が閾値以下となった場合に高分子溶液注入ポンプ２の動作状態を変更してもよい。また、例えば、動作状態制御部５５は、各分散値に基づいて溶解状態の指標値を算出し、その指標値が閾値以下となった場合に高分子溶液注入ポンプ２の動作状態を変更してもよい。
【００３６】
このように構成された第２の実施形態の固液分離システム１００ａによれば、高分子凝集剤が十分に均一に溶解した高分子溶液が被処理水に注入されるため、被処理水の固液分離性能の低下を抑制することができる。
【００３７】
（第３の実施形態）
図６は、第３の実施形態の固液分離システムの構成例を示す図である。第３の実施形態の固液分離システム１００ｂは、水質計１２、流量計３２及び固形物濃度計３３を備えない点、制御装置５に代えて制御装置５ｂを備える点、改質装置６、希釈水注入ポンプ７及び水質計７１をさらに備える点で第１の実施形態の固液分離システム１００と異なる。また、制御装置５ｂは、高分子溶液注入ポンプ２の注入率を制御することに代えて改質装置６及び希釈水注入ポンプ７の動作状態を切り替える制御を行う点で第１の実施形態における制御装置５と異なる。その他の構成は、第１の実施形態と同様であるため、図６では同様の構成について図２と同じ符号を付すことにより説明を省略する。
【００３８】
改質装置６は、高分子溶液の調製に用いられる希釈水を改質する装置である。具体的には、改質装置６は、希釈水から所定の成分を除去する処理（以下「改質処理」という。）を行うことにより希釈水を改質する。例えば、改質処理は、膜処理（例えば逆浸透膜処理）及び活性炭処理のいずれか一方又は両方によって実現される。改質装置６の動作は制御装置５ｂによって制御される。
【００３９】
希釈水注入ポンプ７は、改質装置６によって改質された希釈水（以下「改質希釈水」という。）を溶解槽１に供給する装置である。希釈水注入ポンプ７の動作は制御装置５ｂによって制御される。希釈水注入ポンプ７の前段には、改質希釈水の水質を測定する水質計７１が設置される。具体的には、水質計７１は、改質希釈水の水質として、カルシウム濃度、残留塩素濃度及び導電率の一部又は全部を測定する。水質計７１は、制御装置５ｂと通信可能に接続され、測定データを制御装置５ｂに送信する。なお、希釈水注入ポンプ７は改質装置６の一部として構成されてもよい。
【００４０】
図７は、第３の実施形態における制御装置の機能構成の具体例を示す図である。第３の実施形態における制御装置５ｂは、記憶部５２に代えて記憶部５２ｂを備える点、測定データ取得部５３に代えて測定データ取得部５３ｂを備える点、注入率制御部５４に代えて動作状態制御部５５ｂを備える点で第１の実施形態における制御装置５と異なる。その他の構成は、第１の実施形態と同様であるため、図７では同様の構成について図３と同じ符号を付すことにより説明を省略する。
【００４１】
記憶部５２ｂは、関係情報に代えて判定情報を予め記憶している点で第１の実施形態における記憶部５２と異なる。判定情報は、改質希釈水の水質は判定する際の条件を示す情報である。ここでは、その一例として、改質希釈水の水質の指標値の閾値が判定情報として予め記憶部５２ｂに記憶されるものとする。また、以下では、第２の実施形態における判定情報と区別するため、第３の実施形態における判定情報を第２判定情報と称する。
【００４２】
測定データ取得部５３ｂは、水質計１２、流量計３２及び固形物濃度計３３の測定データに代えて水質計７１の測定データを取得する点で第１の実施形態における測定データ取得部５３と異なる。
【００４３】
動作状態制御部５５ｂは、改質希釈水の水質に応じて改質装置６又は希釈水注入ポンプ７の動作状態を切り替える機能を有する。ここで、改質装置６は、改質処理を実行可能な状態（以下「実行可能状態」という。）と、改質処理の実行が抑止されている状態（以下「実行抑止状態」という。）と、の２つの動作状態を取りうるものとする。同様に、希釈水注入ポンプ７は、改質希釈水の注入動作を行うことが可能な状態（以下「注入可能状態」という。）と、改質希釈水の注入動作が抑止されている状態（以下「注入抑止状態」という。）と、の２つの動作状態を取りうるものとする。
【００４４】
一般に、被処理水の固液分離性能の低下は、希釈水中に存在する所定の成分（以下「要因成分」という。）に起因することが知られている。具体的には、要因成分は、残留塩素成分やイオン成分であることが知られている。特に、イオン成分では、カルシウムイオンやマグネシウムイオン、硫酸イオン等の２価イオンが固液分離性能の低下に寄与するとされている。これらの要因成分のうち、残留塩素成分は活性炭処理によって除去することが可能であり、イオン成分は膜処理によって除去することが可能である。しかしながら、このような改質処理による要因成分の除去性能は、一般に処理量の増加に応じて低下することが知られている。そのため、改質処理が良好に機能している状況では、改質希釈水中の要因成分の濃度は低い値で観測されるが、改質処理の性能劣化が進むにつれてより高い値が観測されるようになる。
【００４５】
そこで、動作状態制御部５５ｂは、水質計７１によって時系列に取得される測定データに基づいて改質希釈水中の要因成分に起因する水質の変化を観測し、要因成分の濃度が所定の閾値以上となったことが観測されたタイミングで、改質装置６の動作状態を実行可能状態から実行抑止状態に遷移させる、又は希釈水注入ポンプ７の動作状態を注入抑止状態から注入可能状態に遷移させる。なお、要因成分のうちのイオン濃度は、改質希釈水の導電率に相関するため、動作状態制御部５５ｂは、改質希釈水の導電率が所定の閾値以上となったタイミングで改質装置６又は希釈水注入ポンプ７の動作を制御してもよい。
【００４６】
このように構成された第３の実施形態の固液分離システム１００ｂによれば、高分子溶液の調製に要因成分濃度の低い希釈水を用いることができるため、被処理水の固液分離性能の低下を抑制することができる。
【００４７】
（変形例）
第１実施形態の制御装置５は、注入率制御部５４に加え、第２の実施形態における動作状態制御部５５、及び第３の実施形態における動作状態制御部５５ｂのいずれか一方又は両方を備えるように構成されてもよい。
【００４８】
以上説明した少なくともひとつの実施形態によれば、希釈水の水質に基づいて高分子溶液の調製処理を制御する、又は高分子溶液の水質に基づいて被処理水に対する高分子溶液の注入処理を制御する制御装置を持つことにより、高分子凝集剤と希釈水とを混合して高分子溶液を調製する溶解槽と、溶解槽において調製された高分子溶液を被処理水に注入して被処理水中の固形物を凝集させる凝集槽と、固形物が凝集した被処理水を固形物と水分とに分離する固液分離装置と、を備える固液分離システムにおいて固液分離性能の低下を抑制することができる。
【００４９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５０】
１００，１００ａ，１００ｂ…固液分離システム、１…溶解槽、１１…第１撹拌機、１２…水質計、２…高分子溶液注入ポンプ、３…凝集槽、３１…第２攪拌機、３２…流量計、３３…固形物濃度計、４…固液分離装置、５，５ａ，５ｂ…制御装置、５１…通信部、５２，５２ａ，５２ｂ…記憶部、５３，５３ａ，５３ｂ…測定データ取得部、５４…注入率制御部、５５，５５ｂ…動作状態制御部、６…改質装置、７…希釈水注入ポンプ、７１…水質計、９０…従来の固液分離システム、９１…溶解槽、９２…第１攪拌機、９３…高分子溶液注入ポンプ、９４…凝集槽、９５…第２攪拌機、９６…固液分離装置
【図１】
2020025932.tif 000003
【図２】
2020025932.tif 000004
【図３】
2020025932.tif 000005
【図４】
2020025932.tif 000006
【図５】
2020025932.tif 000007
【図６】
2020025932.tif 000008
【図７】
2020025932.tif 000009